【手続補正書】
【提出日】平成19年11月7日(2007.11.7)
【手続補正１】
【補正対象書類名】明細書
【補正対象項目名】請求項１８
【補正方法】変更
【補正の内容】
【請求項１８】
前記連結スリーブ（２０２）の外周部には、前記内部領域の各部分において、ラジアル周方向に延在する固定要素（２３５）が、細溝として形成され、かつ前記押圧リング（２１１）は、その内側に、該固定要素（２３５）に相応し、隆起部として構成されるラジアル周方向に延在する固定要素（２３６）を有し、該固定要素（２３５、２３６）は、構造ユニットとして、前連結状態（２４５）における該連結スリーブ（２０２）と該押圧リング（２１１）との結合を行うこと、及び
前記押圧リング（２１１）は、その円錐状延在部（２１７、２１８）に、その端部付近に固定要素（２３７，２３８）を及びその中央付近に更なる固定要素（２３９、２４０）を夫々有し、かつ前記プレスリング（２１２、２１３）は、その内側に形成された円錐状延在部（２１９、２２０）に、その該押圧リング（２１１）を指向する端部に他の固定要素（２４３、２４４）を有し、該他の固定要素（２４３、２４４）は、固定要素（２３７／２４１、２３８／２４２）が連結前状態（２４５）において構造ユニットを支持すると共に前記複数の固定要素（２３７／２４３、２３９／２４１、２４０／２４２、２３８／２４４）が連結が完了した装置（２４６）を支持するよう互いに係合するように、該押圧リング上に形成された固定要素と対応して形成されること
を特徴とする請求項１７に記載の管連結装置。
【手続補正２】
【補正対象書類名】明細書
【補正対象項目名】００１２
【補正方法】変更
【補正の内容】
【００１２】
【発明の実施の形態】
本発明の更なる特徴は、従属ないし下位の番号の請求項に示されている。即ち、前記押圧リングの外周部は対称軸（Ｂ−Ｂ）まで階段状に形成され、円錐状に径が増大しかつ平坦に形成されたセクション部分に小径化円錐状延在部として形成された後部セクション部分が後続し、これらのセクション部分の連続したユニットは複数回繰り返し可能であり、更に前記プレスリングの内側は該押圧リングの対応部分に対し相補的に形成される。
また、前記プレスリングの各々の外周部には、該プレスリング間のスペースを架橋するシリンダ状カバースリーブを受容するための、ラジアル周方向に延在しかつ互いに離隔配置する一対の切欠が形成され、該カバースリーブはその両縁部にそれぞれ半径方向内方を指向するエッジを有し、該エッジは、連結装置の加圧操作開始前の状態では対称軸（Ｂ−Ｂ）の近くに位置する切欠の各々と係合しかつ該連結装置の加圧操作完了後の状態では該切欠に隣接する切欠の各々と係合するように、ラジアル周方向に延在する切欠と係合し、該エッジも該切欠も可滑走斜面を有する。
また、前記突出部には、補償領域を形成するためのラジアル周方向に延在する中空溝が形成される。
また、前記プレスリングは、該プレスリング相互間で作動する牽引要素を受容するための、共通の円弧上に配される軸方向延在孔を有する。
また、ネジ部材を受容するために、前記孔は、一方のプレスリングでは貫通孔として、該一方のプレスリングに対向配置する他方のプレスリングではネジ孔として構成される。
また、前記押圧リングは、複数のセグメントから構成される。
また、前記押圧リングは、その外周部に、前記突出部の領域を被接触状態にする軸方向延在スリットが形成される。
また、前記複数のセグメント間には、前記押圧リングの周囲における前記複数のセグメントの対称的な分布を保証する弾性的介装部材が挿入される。
また、前記管の端部には、保護スリーブが装填可能であり、該保護スリーブは、その外周側に、該管の公称径に関する大きな公差を補償するためのラジアル周方向に延在する隆起部を有し、かつ該保護スリーブは、その一方の側端部に、該保護スリーブの該管内への侵入を制限するフランジを有する。
本発明の第２の視点において、回転対称のスリーブ状基体を有しかつ少なくとも１つの管端部との圧密的な管連結を形成する管連結装置であって、該基体が、該管端部を受容するための、歯要素が形成された実質的にシリンダ状の内部空間を少なくとも１つ有し、かつ該歯要素が、該基体の外側表面に作用する押圧手段によって、該内部空間に受容された管端部の表面へ半径方向に食い込み可能な管連結装置であって、対称軸（Ｃ−Ｃ）まで差込可能な２つの管端部を受容するための連結スリーブが設けられ、前記連結スリーブをそのほぼ全長において包囲するよう構成されかつ該連結スリーブ上を同心的に摺動可能な押圧リングが配され、該押圧リングは、その内側に、ラジアル周方向に延在しかつ該連結スリーブの外表面に相応する突出部を有し、かつその外周側に、該押圧リングの各端部から該押圧リングの中央部に向って径が増大する円錐状延在部を有し、前記押圧リングには、その各円錐状延在部上に該押圧リングを同心的に包囲するプレスリングがそれぞれ配され、該プレスリングは、それぞれその内側に、前記円錐状延在部に相応する円錐状延在部を有し、互いに離隔した開始位置からほぼ無間隔の終了位置へ該プレスリングが軸方向に対向的に摺動する間、前記突出部と該突出部に相応する該連結スリーブの外表面とを介して、歯形成部が、前記連結スリーブに受容された管の表面へ半径方向に食い込むことを特徴とする。
また、前記連結スリーブの内部空間には、その入口端に、前記押圧リングの突出部に対向して位置する周延在隆起部が形成され、及び前記連結スリーブの内部空間は、その対称軸（Ｃ−Ｃ）に近接する領域に、前記押圧リングの突出部に対向して位置する一対の周延在歯形成部が設けられ、各管端部に対して、前記隆起部も該歯形成部も配されるよう構成される。
また、前記連結スリーブの入口端の内縁部は、面取りされ又は丸められる。
また、前記連結スリーブの入口端は、その外周部に、低い隆起部を有し、該隆起部は、連結スリーブ及び押圧リング相互の軸方向の位置決めを可能にするよう、該押圧リングの端部の内側の浅底の切欠に対応して配される。
また、前記押圧リングは、半径方向の対称軸Ｄ−Ｄにおいて、軸方向の中間リングによって互いに結合可能な２つの押圧リング部分に分割され、該中間リングと該押圧リング部分とから構成される押圧リングユニットをこれと同じ長さの前記連結スリーブ上を摺動させるために、該中間リングは、該押圧リング部分の内径と同じ内径を有する。
また、前記中間リングは、その外側に、前記押圧リング部分の各々の対称軸（Ｄ−Ｄ）に指向する側の端部のための当接部として作動する互いに離隔する２つの周延在フランジが形成され、該中間リングは、該フランジから軸方向外方に延在する部分を更に有し、該外方延在部分は、半径方向外方に延在する縁部で終端し、かつ該押圧リング部分の該縁部に対応する端部は、前記押圧リング部分の内径に対し拡大された直径を有しかつ該縁部と係合する切欠が形成される領域を有する。
また、本発明の第３の視点において、回転対称のスリーブ状基体を有しかつ互いに整列して向き合う管端部との圧密的な管連結を形成する管連結装置であって、該基体が、該管端部の各々を受容するための、歯要素が形成された実質的にシリンダ状の内部領域をそれぞれ１つ有し、かつ該歯要素が、該基体の外側表面に作用する押圧手段によって、該内部領域に受容された管端部の表面へ半径方向に食い込み可能な管連結装置であって、前記基体は、実質的に一定の壁厚を有する中空シリンダ状連結スリーブから構成され、該連結スリーブの内部領域の各々には、該連結スリーブの内径に対し半径方向外方へ後退した位置に配されかつ互いに離隔する少なくとも２つのラジアル周方向に延在する歯が形成され、前記連結スリーブ上を同心的に摺動可能な一対の押圧リングが配され、該押圧リングは、該連結スリーブを前記内部領域の部分においてそれぞれ包囲し、かつ該押圧リングの各々は、その外周部に、該押圧リングの各端部から該押圧リングの中央部に向って径が増大する円錐状延在部を有し、前記押圧リングの各々には、その各円錐状延在部上に該押圧リングを同心的に包囲するプレスリングがそれぞれ配され、該プレスリングは、それぞれその内周側に、前記円錐状延在部に相応する円錐状延在部を有し、互いに離隔した開始位置からほぼ無間隔の終了位置へ該両プレスリングが軸方向に対向的に摺動する間、前記歯が、前記連結スリーブに受容された管の表面で半径方向へ食い込むことを特徴とする。
また、前記連結スリーブの外周部には、前記内部領域の各部分において、ラジアル周方向に延在する固定要素が、好ましくは細溝として形成され、かつ前記押圧リングは、その内側に、該固定要素に相応し、好ましくは隆起部として構成されるラジアル周方向に延在する固定要素を有し、該固定要素は、構造ユニットとして、前連結状態における該連結スリーブと該押圧リングとの結合を行い、及び前記押圧リングは、その円錐状延在部に、その端部付近に固定要素を及びその中央付近に更なる固定要素を夫々有し、かつ前記プレスリングは、その内側に形成された円錐状延在部に、その該押圧リングを指向する端部に他の固定要素を有し、該他の固定要素は、固定要素が連結前状態において構造ユニットを支持すると共に前記複数の固定要素が連結が完了した装置を支持するよう互いに係合するように、該押圧リング上に形成された固定要素と対応して形成される。